(57)【要約】【課題】  急須に対して着脱しやすい茶こしを提供することにある。【解決手段】  枠状で内側全面に茶こし網が張られた枠体と、枠体の上方脇部から、茶こし網に対して略垂直に突出する係止部とを備え、枠体の上辺部が、急須の給湯口の張出部の裏面に密接可能で、且つ枠体の左右の側辺部及び下辺部が、急須の内側の注ぎ口側の周縁に密接可能な形状で、枠体が、急須の内側の注ぎ口側の周縁に密着して配置された状態で、係止部の開放端が急須の係止部位に係止されることにより、枠体が、急須の内側に固定されることを特徴とする。【選択図】図１
2018198815.tif 000002
【特許請求の範囲】
【請求項１】
急須に装着して用いる茶こしにおいて、
枠状で内側全面に茶こし網が張られた枠体と、
該枠体の上方脇部から、該茶こし網に対して略垂直に突出する係止部とを備え、
該枠体の上辺部が、該急須の給湯口の張出部の裏面に密接可能で、且つ該枠体の左右の側辺部及び下辺部が、該急須の内側の注ぎ口側の周縁に密接可能な形状で、
該枠体が、該急須の内側の注ぎ口側の周縁に密着して配置された状態で、該係止部の開放端が該急須のいずれかの係止部位に係止されることにより、該枠体が、該急須の内側に固定されることを特徴とする茶こし。
【請求項２】
前記枠体が、前記急須の内側の注ぎ口側の周縁に密着して配置された状態で、
前記係止部の前記開放端を、該急須の前記係止部位から開放して上昇させることで、該枠体が、前記上辺部を回転中心として前記下辺部が浮き上がるように揺動して、該周縁から離脱可能であることを特徴とする請求項１記載の茶こし。
【請求項３】
前記枠体が、前記急須の内側の注ぎ口側の周縁に密着して配置された状態で、該周縁の湾曲により、該枠体が、前記上辺部を回転中心として前記下辺部が浮き上がるように揺動するように付勢される形状であり、
前記係止部が、該係止部の前記開放端が該急須の前記係止部位に係止されることにより、該枠体が、付勢力に抗して該急須の内側に固定されることを特徴とする請求項１又は請求項２記載の茶こし。
【請求項４】
前記枠体が、前記急須の内側の注ぎ口側の周縁に密着して配置された状態で、前記係止部の開放端を該急須の前記係止部位から開放することで、該枠体が該周縁から離脱することを特徴とする請求項３記載の茶こし。
【請求項５】
前記枠体と前記係止部とが一体成型で作られていることを特徴とする請求項１〜請求項４のいずれかに記載の茶こし。
【請求項６】
前記枠体の下辺部周辺に、前記急須の内側の注ぎ口側とは逆方向に突出する突出鍔を備えることを特徴とする請求項１〜請求項５のいずれかに記載の茶こし。
【請求項７】
前記枠体と前記係止部と前記突出鍔とが一体成型で作られていることを特徴とする請求項６記載の茶こし。
【請求項８】
前記急須の前記係止部位が、前記張出部の裏面であることを特徴とする請求項１〜請求項７のいずれかに記載の茶こし。
【発明の詳細な説明】
【技術分野】
【０００１】
本発明は、急須に装着して用いる茶こしに関する。
【背景技術】
【０００２】
従来より、急須の内部の注ぎ口側に装着する茶こしが、いろいろと提案されている。例えば、特許文献１の急須用茶こしは、金網打ち抜きの打ち抜き裸体のみの横長板形状にして、上縁周の中間に頂部と、下縁周の中間に凹曲縁の切欠凹部を設け、頂部を急須の側壁の上端コーナーに当てると共に、下縁周の切欠凹部を、側壁の係止突起に跨がせて、側壁に添着して注ぎ口の入口を塞ぎ、着脱自在に装着する構造を特徴とするものである。
【０００３】
また、特許文献２の急須は、胴体側部に設けられた注ぎ口関口部及び注ぎ口を、上面を全て開放して胴体の上端線及び内壁と連続した片口状に形成すると共に、胴体内壁と注ぎ口との見切り部に茶こし体を着脱自在に取付けたことを特徴とするものである。
【先行技術文献】
【特許文献】
【０００４】
【特許文献１】実開平７−５５２３号公報
【特許文献２】実開昭６１−９３１８０号公報
【発明の概要】
【発明が解決しようとする課題】
【０００５】
しかしながら、従来の茶こしは、茶こし自体を急須に対して着脱しにくかったり、だしたお茶の茶殻を急須から取り出しにくく、また茶こし自体の洗浄が容易ではなかった。
【０００６】
本発明は、このような事情に鑑みてなされたもので、急須に対して着脱しやすい茶こしを提供することにある。
【課題を解決するための手段】
【０００７】
請求項１記載の茶こしは、枠状で内側全面に茶こし網が張られた枠体と、枠体の上方脇部から、茶こし網に対して略垂直に突出する係止部とを備え、枠体の上辺部が、急須の給湯口の張出部の裏面に密接可能で、且つ枠体の左右の側辺部及び下辺部が、急須の内側の注ぎ口側の周縁に密接可能な形状で、枠体が、急須の内側の注ぎ口側の周縁に密着して配置された状態で、係止部の開放端が急須の係止部位に係止されることにより、枠体が、急須の内側に固定されることを特徴とする。
【０００８】
請求項２記載の茶こしは、枠体が、急須の内側の注ぎ口側の周縁に密着して配置された状態で、係止部の開放端を、急須の係止部位から開放して上昇させることで、枠体が、上辺部を回転中心として下辺部が浮き上がるように揺動して、周縁から離脱可能であることを特徴とする。
【０００９】
請求項３記載の茶こしは、枠体が、急須の内側の注ぎ口側の周縁に密着して配置された状態で、周縁の湾曲により、枠体が、上辺部を回転中心として下辺部が浮き上がるように揺動するように付勢される形状であり、係止部が、係止部の開放端が急須の係止部位に係止されることにより、枠体が、付勢力に抗して急須の内側に固定されることを特徴とする。
【００１０】
請求項４記載の茶こしは、枠体が、急須の内側の注ぎ口側の周縁に密着して配置された状態で、係止部の開放端を急須の係止部位から開放することで、枠体が周縁から離脱することを特徴とする。
【００１１】
請求項５記載の茶こしは、枠体と係止部とが一体成型で作られていることを特徴とする。
【００１２】
請求項６記載の茶こしは、枠体の下辺部周辺に、急須の内側の注ぎ口側とは逆方向に突出する突出鍔を備えることを特徴とする。
【００１３】
請求項７記載の茶こしは、枠体と係止部と突出鍔とが一体成型で作られていることを特徴とする。
【００１４】
請求項８記載の茶こしは、急須の係止部位が、張出部の裏面であることを特徴とする。
【発明の効果】
【００１５】
本願の発明によれば、本願発明の茶こしは、急須に対して着脱しやすい。
【図面の簡単な説明】
【００１６】
【図１】本発明に係る第１の実施例の茶こし及び急須を示す説明図である。
【図２】同第１の実施例の茶こしを示す説明図である。
【図３】同第１の実施例の茶こしの使用方法を断面で示す説明図である。
【図４】同第１の実施例の茶こしの使用方法を斜視で示す説明図である。
【図５】同第１の実施例の茶こしの使用方法を断面で示す説明図である。
【図６】本発明に係る第２の実施例の茶こし及び急須を示す説明図である。
【図７】同第２の実施例の茶こしを示す説明図である。
【図８】同第２の実施例の茶こしの使用方法を断面で示す説明図である。
【図９】本発明に係る第３の実施例の茶こし及び急須を示す説明図である。
【図１０】同第３の実施例の茶こしを示す説明図である。
【図１１】同第３の実施例の茶こしの使用方法を断面で示す説明図である。
【発明を実施するための形態】
【００１７】
本願発明に係る茶こしは、急須に装着して用いるもので、枠状で内側全面に茶こし網が張られた枠体と、枠体の上方脇部から茶こし網に対して略垂直に突出する係止部とを備えるものである。以下、実施例で詳細を説明する。
【実施例１】
【００１８】
図１は、本発明に係る第１の実施例の茶こし及び急須を示す説明図である。図２は、同第１の実施例の茶こしを示す説明図である。図３は、同第１の実施例の茶こしの使用方法を断面で示す説明図である。図４は、同第１の実施例の茶こしの使用方法を斜視で示す説明図である。図５は、同第１の実施例の茶こしの使用方法を断面で示す説明図である。
【００１９】
まず、図１〜図５に示す茶こし１は、枠状で内側全面に茶こし網２４が張られた枠体１０と、枠体１０の上方脇部から、茶こし網２４に対して略垂直に突出する係止部３２，３６とを備えている。枠体１０は、略正方形で、上辺部１２が、急須５０の給湯口５２の張出部５６の裏面５６ａに密接可能で、且つ左右の側辺部である右側辺部１４と左側辺部１６及び下辺部１８が、急須５０の内側５０ａの注ぎ口５４側の周縁５０ｃに密接可能な形状である。また、枠体１０は、必須ではないものの、枠体１０の下辺部１８周辺に、急須５０の内側５０ａの注ぎ口５４側とは逆方向に突出する形となる突出鍔２０を備える。
【００２０】
茶こし網２４は、お茶をこすことができれば、金網のような厳密な網形状そのものでなくても、網状であればよい。茶こし１では、金網ではなく、網状に孔を穿設したように成型したもので、このような形状であっても、茶こしができればよい。尚、茶こし１では、枠体１０と茶こし網２４とが、一体で成型されている。
【００２１】
茶こし１に設けられた係止部材３０は、細丸棒を屈曲させたもので、中心部分である下部４０が、枠体１０の下辺部１８に沿い、左右が右側辺部１４及び左側辺部１６にそれぞれ沿って起立して右側起立部４２及び左側起立部４４となり、さらに、左右それぞれが茶こし網２４に対して略垂直に突出して伸びる係止部３２，３６となっている。また、左右それぞれの開放端３４，３８は、円環状に湾曲している。そして、係止部材３０の右側起立部４２が枠体１０の右側辺部１４に縦方向に穿設された溝１４ａに嵌合され、また、左側起立部４４が枠体１０の左側辺部１６に縦方向に穿設された溝１６ａに嵌合されることにより、係止部材３０が、枠体１０の上方脇部から、茶こし網２４に対して略垂直に係止部３２，３６が突出する形で、枠体１０に固定されている。尚、係止部材３０は、金属や樹脂であるが、バネ性を有することが好ましく、バネ性を有すれば材質によって制限されるものではない。
【００２２】
急須５０は、内側５０ａが立方体状で、注ぎ口５４を設けたものである。また、図１〜図５では、蓋を図示していないが、上部開口の給湯口５２に蓋で塞ぐことも可能な構造である。また、急須５０の給湯口５２の注ぎ口５４側から、給湯口５２をわずかに塞ぐように板状の張出部５６が突出している。さらに、給湯口５２の注ぎ口５４とは反対の側の角部に、給湯口５２が内側５０ａに倒れ込むような作りの張出部６０，６２が、左右にそれぞれ設けられている。尚、急須５０は、以下に示す急須１５０，２５０と同様に、熱湯を注ぐことができる材質であればよく、陶磁器の他、金属や樹脂であってもよい。
【００２３】
次に、このような構造に実施例１に係る茶こし１の使用方法を説明する。まず、急須５０の給湯口５２に、枠体１０の下辺部１８が急須５０の底５０ｂ側になるように挿入していく。このとき、茶こし１の係止部材３０の係止部３２，３６が、注ぎ口５４と反対の方向になるようにする。そして、枠体１０を、急須５０の内側５０ａに入れる。
【００２４】
そして、茶こし１の枠体１０の上辺部１２が、急須５０の給湯口５２の張出部５６の裏面５６ａに密接可能な形状であることから、この上辺部１２を裏面５６ａに下側から当接させる。この状態では、図３に示すように、枠体１０は下辺部１８が浮いたような状態で傾いており、また、係止部材３０の係止部３２，３６の開放端３４，３８が急須５０の給湯口５２の外側に位置した状態である。
【００２５】
この状態で、係止部材３０の係止部３２，３６の開放端３４，３８を急須５０の張出部６０，６２を避けるようにしつつ、枠体１０を上辺部１２を回転中心として下辺部１８を揺動させ、図１及ぶ図５に示すように、枠体１０を、急須５０の内側５０ａの注ぎ口５４側の周縁５０ｃに密着して配置させる。そして、係止部材３０の係止部３２，３６の開放端３４，３８が張出部６０，６２の裏面に係止させることで、枠体１０が、急須５０の内側５０ａに固定されることになる。この状態（図１及び図５で示す状態）で、お茶をいれることができる。
【００２６】
尚、本実施例では、係止部材３０の係止部３２，３６の開放端３４，３８を張出部６０，６２の裏面に係止させるようにしているが、枠体１０を急須５０の内側５０ａに固定されることができれば、係止部３２，３６の開放端３４，３８を係止させる急須５０の係止部位は、急須５０のいずれの部分であっても構わず、例えば、蓋（図示せず）であってもよいし、急須５０の単なる内側５０ａであってもよい。係止部３２，３６の開放端３４，３８を係止させる急須５０の係止部位については、以下の実施例でも同様である。
【００２７】
次に、お茶をだして、急須５０を洗浄等する場合について説明する。茶こし１の枠体１０が急須５０の内側５０ａの注ぎ口５４側の周縁５０ｃに密着して配置された状態で、係止部材３０の係止部３２，３６の開放端３４，３８を、張出部６０，６２の裏面から給湯口５２の外側に開放させつつ上昇させる。開放端３４，３８を張出部６０，６２の裏面から給湯口５２の外側に開放させつつ上昇させることで、枠体１０が、急須５０の給湯口５２の張出部５６の裏面５６ａに当接した上辺部１２を回転中心として下辺部１８が浮き上がるように揺動して、急須５０の内側５０ａの周縁５０ｃから離脱することになる（図３）。
【００２８】
このような茶こし１の構造と使用方法で、より具体的には、茶こし１は、枠体１０が、急須５０の内側５０ａの注ぎ口５４側の周縁５０ｃに密着して配置された状態で、周縁５０ｃの湾曲により、枠体１０が、上辺部１２を回転中心として下辺部１８が浮き上がるように揺動するように付勢される形状であり、係止部材３０の係止部３２，３６が、係止部３２，３６の開放端３４，３８が張出部６０，６２の裏面に係止されることにより、枠体１０が、付勢力に抗して急須５０の内側５０ａに固定されるようになっている。
【００２９】
また、茶こし１は、枠体１０が、急須５０の内側５０ａの注ぎ口５４側の周縁５０ｃに密着して配置された状態で、係止部材３０の係止部３２，３６の開放端３４，３８を張出部６０，６２の裏面から開放することで、枠体１０が周縁５０ｃから離脱するものである。
【００３０】
尚、実施例１の茶こし１は、枠体１０の下辺部１８周辺に、急須５０の内側５０ａの注ぎ口５４側とは逆方向に突出する突出鍔２０を備えており、茶こし１を急須５０から取り外す際に、図３に示すように、茶殻Ｔを茶こし網２４と突出鍔２０とですくい上げるようにして、茶こし１と一体で茶殻Ｔを急須５０の内側５０ａから取り出すことができる。
【実施例２】
【００３１】
上述の実施例１の茶こし１は、枠体１０と係止部３２，３６とが、別体になっている構成であるが、他の形態について実施例２で示す。図６は、本発明に係る第２の実施例の茶こし及び急須を示す説明図である。図７は、同第２の実施例の茶こしを示す説明図である。図８は、同第２の実施例の茶こしの使用方法を断面で示す説明図である。
【００３２】
図６〜図８に示す茶こし２は、枠状で内側全面に茶こし網１２４が張られた枠体１１０と、枠体１１０の上方脇部から、茶こし網１２４に対して略垂直に突出する係止部１３２，１３６とを備えている。枠体１１０は、略正方形で、上辺部１１２が、急須１５０の給湯口１５２の張出部１５６の裏面１５６ａに密接可能で、且つ左右の側辺部である右側辺部１１４と左側辺部１１６及び下辺部１１８が、急須１５０の内側１５０ａの注ぎ口１５４側の周縁１５０ｃに密接可能な形状である。
【００３３】
茶こし網１２４は、お茶をこすことができれば、金網のような厳密な網形状そのものでなくても、網状であればよい。茶こし２では、金網を用いている。
【００３４】
茶こし２に設けられた係止部材１３０は、枠体１１０と一体で成型されたもので、枠体１１０の右側辺部１１４及び左側辺部１１６から、茶こし網１２４に対して略垂直に係止部１３２，１３６が突出して伸びている。尚、本願発明の枠体１０，１１０，２１０は、お湯を用いて支障がない材質であれば、いずれも材質によって限定されるものではないが、本実施例のように枠体１１０と係止部１３２，１３６とが一体で成型される場合、係止部１３２，１３６にバネ性を有することが望ましいことから、樹脂等のバネ性を有する材質を用いることになる。
【００３５】
急須１５０は、内側１５０ａが立方体状で、注ぎ口１５４を設けたものである。また、図６〜図８では、蓋を図示していないが、上部開口の給湯口１５２に蓋で塞ぐことも可能な構造である。また、急須１５０の給湯口１５２の注ぎ口１５４側から、給湯口１５２をわずかに塞ぐように板状の張出部１５６が突出している。さらに、給湯口１５２の注ぎ口５４とは反対の側の角部に、張出部１６０，１６２が、左右にそれぞれ設けられている。さらに、給湯口１５２の両脇の張出部１６０，１６２の注ぎ口１５４側に、切欠部１６４，１６６が穿設されている。
【００３６】
次に、このような構造に実施例２に係る茶こし２の使用方法を説明する。まず、急須１５０の給湯口１５２に、枠体１１０の下辺部１１８が急須１５０の底１５０ｂ側になるように挿入していく。このとき、茶こし２の係止部材１３０の係止部１３２，１３６が、注ぎ口１５４と反対の方向になるようにする。そして、枠体１１０を、急須１５０の内側１５０ａに入れる。
【００３７】
そして、茶こし２の枠体１１０の上辺部１１２が、急須１５０の給湯口１５２の張出部１５６の裏面１５６ａに密接可能な形状であることから、この上辺部１１２を裏面１５６ａに下側から当接させる。この状態では、枠体１１０は下辺部１１８が浮いたような状態で傾いており、また、係止部材１３０の係止部１３２，１３６の開放端１３４，１３８が急須１５０の給湯口１５２の外側に位置した状態である。
【００３８】
この状態で、係止部材１３０の係止部１３２，１３６の開放端１３４，１３８を急須１５０の張出部１６０，１６２を避けるようにしつつ、枠体１１０を上辺部１１２を回転中心として下辺部１１８を揺動させ、図６及ぶ図８に示すように、枠体１１０を、急須１５０の内側１５０ａの注ぎ口１５４側の周縁１５０ｃに密着して配置させる。そして、係止部材１３０の係止部１３２，１３６の開放端１３４，１３８が張出部１６０，１６２の裏面に係止させることで、枠体１１０が、急須１５０の内側１５０ａに固定されることになる。この状態（図６及び図８で示す状態）で、お茶をいれることができる。
【００３９】
次に、お茶をだして、急須１５０を洗浄等する場合について説明する。茶こし２の枠体１１０が急須１５０の内側１５０ａの注ぎ口１５４側の周縁１５０ｃに密着して配置された状態で、係止部材１３０の係止部１３２，１３６の開放端１３４，１３８を、張出部１６０，１６２の裏面から給湯口１５２の外側に開放させつつ上昇させるようにするが、このとき、急須１５０の切欠部１６４，１６６からそれぞれ左右に露出する係止部１３２，１３６を、急須１５０の内側１５０ａ方向に押圧して係止部１３２，１３６の開放端１３４，１３８を、張出部１６０，１６２から外すようにする。開放端１３４，１３８を張出部１６０，１６２の裏面から給湯口１５２の外側に開放させつつ上昇させることで、枠体１１０が、急須１５０の給湯口１５２の張出部１５６の裏面１５６ａに当接した上辺部１１２を回転中心として下辺部１１８が浮き上がるように揺動して、急須１５０の内側１５０ａの周縁１５０ｃから離脱することになる。
【実施例３】
【００４０】
上述の実施例１及び実施例２の茶こし１，２は、急須５０，１５０が、角形のものに適用可能か形状になっているが、他の形態について実施例３で示す。図９は、本発明に係る第３の実施例の茶こし及び急須を示す説明図である。図１０は、同第３の実施例の茶こしを示す説明図である。図１１は、同第３の実施例の茶こしの使用方法を断面で示す説明図である。
【００４１】
図９〜図１１に示す茶こし３は、枠状で内側全面に茶こし網２２４が張られた枠体２１０と、枠体２１０の上方脇部から、茶こし網２２４に対して略垂直に突出する係止部２３２，２３６とを備えている。枠体２１０は、略長方形で、上辺部２１２が、急須２５０の給湯口２５２の張出部２５６の裏面２５６ａに密接可能で、且つ左右の側辺部である右側辺部２１４と左側辺部２１６及び下辺部２１８が、急須２５０の内側２５０ａの注ぎ口２５４側の周縁２５０ｃに密接可能な形状である。このため、枠体２１０の左右の下の角は、湾曲している。
【００４２】
茶こし網２２４は、お茶をこすことができれば、金網のような厳密な網形状そのものでなくても、網状であればよい。茶こし３では、金網を用いている。
【００４３】
茶こし３に設けられた係止部材２３０は、細丸棒を屈曲させたもので、中心部分である下部２４０が、枠体２１０の下辺部２１８に沿い、左右が右側辺部２１４及び左側辺部２１６にそれぞれ沿って起立して右側起立部２４２及び左側起立部２４４となり、さらに、左右それぞれが茶こし網２２４に対して略垂直に突出して伸びる係止部２３２，２３６となっている。また、左右それぞれの端部２３４，２３８は、左右方向に伸びる後部２４６で繋がれている。そして、係止部材２３０の右側起立部２４２と係止部２３２の付け根部分が、枠体２１０の上辺部２１２に縦方向に穿設された溝２１２ａに嵌合され、また、左側起立部２４４と係止部２３６の付け根部分が、枠体２１０の上辺部２１２に縦方向に穿設された溝２１２ｂに嵌合され、さらに下部２４０が下辺部２１８に穿設された溝２１８ａに嵌合されることにより、係止部材２３０が、枠体２１０の上方から、茶こし網２２４に対して略垂直に係止部２３２，２３６が突出する形で、枠体２１０に固定されている。尚、係止部材２３０は、金属や樹脂であるが、バネ性を有することが好ましく、バネ性を有すれば材質によって制限されるものではない。
【００４４】
急須２５０は、内側２５０ａが椀状で、注ぎ口２５４を設けたものである。また、図９〜図１１では、蓋を図示していないが、上部開口の給湯口２５２に蓋で塞ぐことも可能な構造である。また、急須２５０の給湯口２５２の注ぎ口２５４側から、給湯口２５２をわずかに塞ぐように板状の張出部２５６が突出している。さらに、給湯口２５２の注ぎ口２５４とは反対の側の角部に、張出部２６０，２６２が、左右にそれぞれ設けられている。
【００４５】
次に、このような構造に実施例３に係る茶こし３の使用方法を説明する。まず、急須２５０の給湯口２５２に、枠体２１０の下辺部２１８が急須２５０の底２５０ｂ側になるように挿入していく。このとき、茶こし３の係止部材２３０の係止部２３２，２３６が、注ぎ口２５４と反対の方向になるようにする。そして、枠体２１０を、急須２５０の内側２５０ａに入れる。
【００４６】
そして、茶こし３の枠体２１０の上辺部２１２が、急須２５０の給湯口２５２の張出部２５６の裏面２５６ａに密接可能な形状であることから、この上辺部２１２を裏面２５６ａに下側から当接させる。この状態では、枠体２１０は下辺部２１８が浮いたような状態で傾いており、また、係止部材２３０の係止部２３２，２３６の端部２３４，２３８及び後部２４６が急須２５０の給湯口２５２の外側に位置した状態である。
【００４７】
この状態で、係止部材２３０の係止部２３２，２３６の端部２３４，２３８及び後部２４６を急須２５０の張出部２６０，２６２を避けるようにしつつ、枠体２１０を上辺部２１２を回転中心として下辺部２１８を揺動させ、図９及ぶ図１１に示すように、枠体２１０を、急須２５０の内側２５０ａの注ぎ口２５４側の周縁２５０ｃに密着して配置させる。そして、係止部材２３０の係止部２３２，２３６の端部２３４，２３８が張出部２６０，２６２の裏面に係止させることで、枠体２１０が、急須２５０の内側２５０ａに固定されることになる。この状態（図９及び図１１で示す状態）で、お茶をいれることができる。
【００４８】
次に、お茶をだして、急須２５０を洗浄等する場合について説明する。茶こし３の枠体２１０が急須２５０の内側２５０ａの注ぎ口２５４側の周縁２５０ｃに密着して配置された状態で、係止部材２３０の係止部２３２，２３６の端部２３４，２３８を、張出部２６０，２６２の裏面から給湯口２５２の外側に開放させつつ上昇させる。この張出部２６０，２６２の裏面から給湯口２５２の外側に開放させるには、後部２４６を下方向に押し込むことで、係止部材２３０が変形し、係止部２３２，２３６の端部２３４，２３８の間隔が狭まることになり、張出部２６０，２６２の裏面から端部２３４，２３８が外れることになる。端部２３４，２３８を張出部２６０，２６２の裏面から給湯口２５２の外側に開放させつつ上昇させることで、枠体２１０が、急須２５０の給湯口２５２の張出部２５６の裏面２５６ａに当接した上辺部２１２を回転中心として下辺部２１８が浮き上がるように揺動して、急須２５０の内側２５０ａの周縁２５０ｃから離脱することになる。
【００４９】
上述の実施例で具体的に示す茶こし１〜３によれば、急須に対して着脱しやすい。
【産業上の利用可能性】
【００５０】
以上のように、本発明によれば、急須に対して着脱しやすい茶こしを提供することができる。
【符号の説明】
【００５１】
１・・・・・・茶こし
２・・・・・・茶こし
３・・・・・・茶こし
１０・・・・・枠体
１２・・・・・上辺部
１４・・・・・右側辺部
１４ａ・・・・溝
１６・・・・・左側辺部
１６ａ・・・・溝
１８・・・・・下辺部
２０・・・・・突出鍔
２０ａ・・・・鍔上面
２４・・・・・茶こし網
３０・・・・・係止部材
３２・・・・・係止部
３４・・・・・開放端
３６・・・・・係止部
３８・・・・・開放端
４０・・・・・下部
４２・・・・・右側起立部
４４・・・・・左側起立部
５０・・・・・急須
５０ａ・・・・内側
５０ｂ・・・・底
５０ｃ・・・・周縁
５２・・・・・給湯口
５４・・・・・注ぎ口
５６・・・・・張出部
５６ａ・・・・裏面
６０・・・・・張出部
６２・・・・・張出部
１１０・・・・枠体
１１２・・・・上辺部
１１４・・・・右側辺部
１１４ａ・・・溝
１１６・・・・左側辺部
１１８・・・・下辺部
１２４・・・・茶こし網
１３０・・・・係止部材
１３２・・・・係止部
１３４・・・・開放端
１３６・・・・係止部
１３８・・・・開放端
１５０・・・・急須
１５０ａ・・・内側
１５０ｂ・・・底
１５０ｃ・・・周縁
１５２・・・・給湯口
１５４・・・・注ぎ口
１５６・・・・張出部
１５６ａ・・・裏面
１６０・・・・張出部
１６２・・・・張出部
１６４・・・・切欠部
１６６・・・・切欠部
２１０・・・・枠体
２１２・・・・上辺部
２１２ａ・・・溝
２１２ｂ・・・溝
２１４・・・・右側辺部
２１４・・・・右側辺部
２１６・・・・左側辺部
２１８・・・・下辺部
２１８ａ・・・溝
２２４・・・・茶こし網
２３０・・・・係止部材
２３２・・・・係止部
２３４・・・・端部
２３６・・・・係止部
２３８・・・・端部
２４０・・・・下部
２４２・・・・右側起立部
２４４・・・・左側起立部
２４６・・・・後部
２５０・・・・急須
２５０ａ・・・内側
２５０ｂ・・・底
２５０ｃ・・・周縁
２５２・・・・給湯口
２５４・・・・注ぎ口
２５６・・・・張出部
２５６ａ・・・裏面
２６０・・・・張出部
２６２・・・・張出部
【図１】
2018198815.tif 000003
【図２】
2018198815.tif 000004
【図３】
2018198815.tif 000005
【図４】
2018198815.tif 000006
【図５】
2018198815.tif 000007
【図６】
2018198815.tif 000008
【図７】
2018198815.tif 000009
【図８】
2018198815.tif 000010
【図９】
2018198815.tif 000011
【図１０】
2018198815.tif 000012
【図１１】
2018198815.tif 000013